(57)【特許請求の範囲】
【請求項１】
天板の後部上面に、デスクトップパネルを取り付けたデスクトップパネル付き机における配線装置であって、
天板における前記デスクトップパネルの下方に、配線挿通用の開口を設け、この開口を、基端部を前記デスクトップパネルの下方位置において左右方向を向く枢軸をもって前記天板、または天板を支持する天板支持体に枢着した配線カバーにより覆うようにし、さらに、前記デスクトップパネルの下部前面に、前記配線カバーを上向き回動させて、前記開口を開いたとき、前記配線カバーを収容するようにした凹部を設けたことを特徴とするデスクトップパネル付き机における配線装置。
【請求項２】
前後に対向する天板間の境界部に、デスクトップパネルを配設した対面型のデスクトップパネル付き机における配線装置であって、
前記デスクトップパネルの下方における前後の天板間に、配線挿通用の開口を形成し、この開口を、基端部を前記デスクトップパネルの下方位置において左右方向を向く枢軸をもって前記天板、または天板を支持する天板支持体に枢着した前後１対の配線カバーにより覆うようにし、さらに、前記デスクトップパネルの下部前面または後面に、前記配線カバーを上向き回動させて、前記開口を開いたとき、前記配線カバーを収容するようにした凹部を設けたことを特徴とするデスクトップパネル付き机における配線装置。
【発明の詳細な説明】
【技術分野】
【０００１】
本発明は、天板の後部上面にデスクトップパネルを設けた机における配線装置に関する。
【背景技術】
【０００２】
オフィス等の執務空間で使用される机には、天板上で使用する照明や、電子機器のための配線を、天板の下方に設けた配線ダクトに導くための開口を設けたものが多い。
【０００３】
このような開口を、常時開放しておくと、天板上の執務スペースを縮小することになるとともに、体裁も悪いため、このような開口を閉塞する配線カバーを設けたものがある(例えば、特許文献１〜４参照)。
【特許文献１】実開平０３−０９８６３４号公報
【特許文献２】特開２０００−２８７７５８号公報
【特許文献３】特開２００６−１４９５５４号公報
【特許文献４】特開２００６−０６７７１号公報
【発明の開示】
【発明が解決しようとする課題】
【０００４】
しかし、机の天板の後部には、着座者の前方視野を遮り、執務に集中できるようにするため、デスクトップパネルを取り付けることが多く、これを取り付けると、配線カバーの開閉や着脱、および配線作業が妨げられることがある。
そのため、配線用の開口を、デスクトップパネルの手前側に設けると、天板上の執務スペースが狭められ、天板としての使い勝手が悪くなる。
【０００５】
本発明は、従来の技術が有する上記のような問題に鑑み、天板上の執務スペースを広く確保しうるとともに、デスクトップパネルが、配線カバーの開閉や配線作業を妨げることがないようにした、デスクトップパネル付き机における配線装置を提供することを目的としている。
【課題を解決するための手段】
【０００６】
本発明によると、上記課題は次のようにして解決される。
（１）天板の後部上面に、デスクトップパネルを取り付けたデスクトップパネル付き机における配線装置であって、天板における前記デスクトップパネルの下方に、配線挿通用の開口を設け、この開口を、基端部を前記デスクトップパネルの下方位置において左右方向を向く枢軸をもって前記天板、または天板を支持する天板支持体に枢着した配線カバーにより覆うようにし、さらに、前記デスクトップパネルの下部前面に、前記配線カバーを上向き回動させて、前記開口を開いたとき、前記配線カバーを収容するようにした凹部を設ける。
【０００７】
（２）前後に対向する天板間の境界部に、デスクトップパネルを配設した対面型のデスクトップパネル付き机における配線装置において、前記デスクトップパネルの下方における前後の天板間に、配線挿通用の開口を形成し、この開口を、基端部を前記デスクトップパネルの下方位置において左右方向を向く枢軸をもって前記天板、または天板を支持する天板支持体に枢着した前後１対の配線カバーにより覆うようにし、さらに、前記デスクトップパネルの下部前面または後面に、前記配線カバーを上向き回動させて、前記開口を開いたとき、前記配線カバーを収容するようにした凹部を設ける。
【発明の効果】
【０００８】
本発明によると、次のような効果を奏することができる。
上記(１)および(２)項の発明によると、配線カバーを上向き回動させて、配線挿通用の開口を開いたとき、配線カバーが、デスクトップパネルの下部前面に設けた凹部に収容されるので、配線カバーの開閉や配線作業が、デスクトップパネルにより妨げられることがなく、しかも、配線挿通用の開口を、デスクトップパネルに接近させて設けることができるので、天板上の執務スペースを広く確保することができる。
【発明を実施するための最良の形態】
【０００９】
図１〜図３は、本発明の第１の実施形態を示す。
図１に示すように、机１は、４枚の天板２を、前後左右に突き合わせて連結した平面視田の字状とし、左右１対の側板３、３と、それらの間に配設した中間脚部４と、それらを連結する左右方向を向くビーム(図示略)を備える天板支持体Ａにより支持した、対面型の連結机である。
【００１０】
前後に対向する天板２、２の間には、各天板２に対応させて配置した椅子６の着座者の前方視野を遮るためのデスクトップパネル５が立設されている。
各天板２の下方には、想像線で示すサイドワゴン７が配設され、天板２の上面には、ノート型パソコン８，蛍光灯スタンド９等が配設されている。それらの電源コードや接続ケーブル等の配線は、デスクトップパネル５の下方において、前後の天板２、２間に形成された配線挿通用の横長の開口１５を通って、その下方の配線ダクト１６(図３参照)から引出されている。
【００１１】
図２および図３に示すように、各デスクトップパネル５は、下端に取付ベース１０を設けた左右１対の縦フレーム１１、１１と、両縦フレーム１１、１１の上下の端部同士を連結する横フレーム１２、１２と、両フレーム１１、１１、１２、１２により枠組みされた内部に組付けられた前後１対のパネル本体１３、１３と、下方の横フレーム１２の下端における前後方向の中央部より垂設された薄肉の垂下片１４とを備えている。
【００１２】
各デスクトップパネル５における左右の縦フレーム１１、１１の下端部は、上記開口１５の前後方向の中央部を通って、天板２の下方に進入し、下端の取付ベース１０を、天板支持体Ａにおける側板３、中間脚部４、またはその他の部材に、固定ねじ１０ａをもってねじ止めすることにより、天板支持体Ａに強固に取付けられている。
【００１３】
前後の天板２、２の対向部分の下面には、上向コ字状をなす配線ダクト１６の前後の側縁の上部が、ねじ１６ａ、１６ａをもって固着されており、配線ダクト１６の底面には、中仕切兼用の複数のカバー受け１７が、左右方向に所要の間隔をもって、その下端に設けた水平の取付片１７ａを、配線ダクト１６の底面に、ボルト・ナット１８をもって締着することにより、取り付けられている。
【００１４】
開口１５は、合成樹脂の成形体からなる前後１対の配線カバー１９により閉塞しうるようになっている。配線カバー１９は、基端部下面に設けた左右方向を向く枢軸２０を、カバー受け１７の上端前後部に設けた軸支部２１に嵌合して枢支させることにより、図３に実線で示すように、上面が天板２の上面と整合するほぼ水平の閉止位置と、同じく想像線で示すように、ほぼ真上を向く開放位置とに、枢軸２０を中心として回動しうるようになっている。
【００１５】
配線カバー１９の下面側には、閉止位置としたとき、カバー受け１７の上部より枝状に延出する係止部１７ｂに弾性係合する係止突起１９ａが設けられている。したがって、配線カバー１９を、開放位置から閉止位置まで回動させたとき、係止突起１９ａが係止部１７ｂに弾性係合して、配線カバー１９は、閉止位置に弾圧保持されるようになっている。
【００１６】
また、各配線カバー１９を、開放位置まで上向きに回動させて、開口１５を開いたとき、各配線カバー１９は、デスクトップパネル５の下端部を薄肉の垂下片１４としたことにより形成された凹部に収容され、これによって、開口１５を大きく開けることができ、配線ダクト１６への配線の引込みや取出しを容易に行うことができる。
【００１７】
さらに、開口１５を、デスクトップパネル５に接近させて設けることができるので、天板２上の執務スペースを広く確保することができる。
【００１８】
図４は、参考例を示す。なお、上記第１の実施形態におけるのと同一の部材には同一の符号を付し、異なる部材にのみ異なる符号を付して、説明する。
【００１９】
参考例においては、デスクトップパネル５を、第１の実施形態におけるデスクトップパネル５より垂下片１４を排除したものと同様の構造とし、デスクトップパネル５の下端と、天板２の上面の延長面との間に、配線カバー２３着脱用の空間２４を形成し、デスクトップパネル５の下端に、上記空間２４を閉塞する閉塞板２５の上端部を、左右方向を向く支軸２６をもって枢着してある。
なお、空間２４は、デスクトップパネル５の下端部を、横長の方形に切り欠くことにより、形成してもよい。
【００２０】
配線カバー２３は、水平とした鋼板の前後の縁を下向きにコ字状に折り返して形成したもので、前後の天板２、２の対向部分の下面間に架設した左右１対(または３個以上)の支持板２７の前後方向の中央部に載置することにより、開口１５の前後の縁に、配線挿通用の間隙２８を残して、開口１５の中央部を、天板２の上面と同一面となるように閉塞するようにしてある。
【００２１】
支持板２７の中央部には、配線カバー２３を中央部に位置決めするための前後１対の上向突片２７ａ、２７ａが設けられている。
【００２２】
参考例によると、閉塞板２５を、図４に実線で示すように、下方を向いて、空間２４を閉塞する閉塞位置から、同じく想像線で示すように、前後いずかの方向を向く開放位置まで回動させておくことにより、配線カバー２３の着脱や配線作業を、デスクトップパネル５により妨げられることなく、上記空間２４を通して、容易に行うことができ、しかも、配線挿通用の開口１５を、デスクトップパネル５の直下に設けたり、または接近させて設けることができるので、天板２上の執務スペースを広く確保することができる。
【００２３】
また、付随的な効果として、閉塞板２５を、開放位置まで回動させておくことにより、デスクトップパネル５の下方に形成された空間２４を通して、机１の後方を視認することができ、机１を挟んで対向する着座者間で、書類の授受等を行うことができる。
【００２４】
なお、閉塞板２５を、閉塞位置と開放位置とにおいて、弾圧保持する適宜の保持手段(図示略)を設けておくと、配線カバーの着脱や配線作業を行うときに、閉塞板を開放位置に片手で保持しておく必要がなく、作業性向上する。また、閉塞板を閉塞位置に位置させているとき、閉塞板が、振動等により、妄りに揺動することが防止される。
このような保持手段は、関係技術者にはよく知られている任意のものでよいので、その図示および説明は省略するが、例えば、閉塞板２５を枢支する支軸２６の外周面、またはデスクトップパネル５における下方の横フレーム１２の下面に設けた弾性係合突起(図示略)を、閉塞板２５の上端の軸受部分の内面または外周面に設けた係合溝(図示略)に弾性係合させるようにしたものとすることができる。
【００２５】
本発明は、上記の実施形態のみに制限されるものではなく、特許請求の範囲を逸脱しない範囲で、変形した態様での実施が可能である。
例えば、第１の実施形態においては、机１を、対面型の連結机としてあるが、１個の天板２のみを有する机にも適用することができる。
この場合には、デスクトップパネル５を、天板支持体Ａだけではなく、天板２に直接取り付けることもある。また、開口１５は、天板２の後部に横長孔として、または天板２の後端より前方に向かって方形に切り欠いて形成することもある。
【図面の簡単な説明】
【００２６】
【図１】本発明の第１の実施形態を備えるデスクトップパネル付き机の全体を示す斜視図である。
【図２】デスクトップパネルの中間部を省略して拡大して示す斜視図である。
【図３】図１の要部拡大縦断側面図である。
【図４】デスクトップパネル付き机の参考例の要部拡大縦断側面図である。
【符号の説明】
【００２７】
Ａ  天板支持体
１  机
２  天板
３  側板
４  中間脚部
５  デスクトップパネル
６  椅子
７  サイドワゴン
８  ノート型パソコン
９  蛍光灯スタンド
１０  取付ベース
１０ａ固定ねじ
１１  縦フレーム
１２  横フレーム
１３  パネル本体
１４  垂下片
１５  開口
１６  配線ダクト
１６ａねじ
１７  カバー受け
１７ａ取付片
１７ｂ係止部
１８  ボルト・ナット
１９  配線カバー
１９ａ係止突起
２０  枢軸
２１  軸支部
２２  凹部
２３  配線カバー
２４  空間
２５  閉塞板
２６  支軸
２７  支持板
２７ａ上向突片
２８  間隙
【図１】
0005063987.tif 000002
【図２】
0005063987.tif 000003
【図３】
0005063987.tif 000004
【図４】
0005063987.tif 000005